(57)【要約】【課題】加入者の使用するコンテンツに応じて実時間で課金ができるようにする移動通信システムのコンテンツ別課金データ生成装置及び方法を提供すること。【解決手段】パケットデータサービスノードから提供する課金データレコード及び前記パケットデータサービスノードでサービスするパケットデータを分析し、これにより実時間で課金データを生成して前記課金サーバに伝送するパケットデータ分析装置を含んでなる。【選択図】　図３
2004147284.tif 000002
【特許請求の範囲】
【請求項１】
コンテンツを提供するコンテンツサーバ及びインターネットが接続されたデータコアネットワークに接続され、加入者のモバイル端末機にデータサービスを提供するパケットデータサービスノードと、課金のための課金サーバとを含む移動通信システムにおいて、
前記パケットデータサービスノードから提供する課金データレコード及び前記パケットデータサービスノードでサービスするパケットデータを分析し、これにより実時間で課金データを生成して前記課金サーバに伝送するパケットデータ分析装置を含んでなることを特徴とする移動通信システムのコンテンツ別課金データ生成装置。
【請求項２】
前記パケットデータサービスノードからパケットデータと課金データを複製して前記パケットデータ分析装置に伝送するミラーリングスイッチをさらに含むことを特徴とする請求項１記載の移動通信システムのコンテンツ別課金データ生成装置。
【請求項３】
前記パケットデータ分析装置は、
前記課金データレコード及び前記パケットデータを受信するインタフェース部と、
前記インタフェース部を介して受信された課金データレコードを分析する加入者識別プロセス、及び前記パケットデータを分析するパケット分析プロセスを行うパケット分析部と、
前記加入者識別プロセスによって分析された情報を格納する格納部と、
前記パケット分析部の分析結果に基づいて統合課金データを生成する課金データ生成部とを含んでなることを特徴とする請求項１記載の移動通信システムのコンテンツ別課金データ生成装置。
【請求項４】
前記パケット分析部による加入者識別プロセスは、前記課金データレコードを分析して加入者の移動局識別番号（ＭＩＮ）、ＩＰアドレス、使用時間及び活性化情報を抽出し、その情報を前記格納部に格納することを特徴とする請求項３記載の移動通信システムのコンテンツ別課金データ生成装置。
【請求項５】
前記パケット分析部によるパケット分析プロセスは、前記パケットデータを分析してコンテンツの種類と使用量を分析することを特徴とする請求項３記載の移動通信システムのコンテンツ別課金データ生成装置。
【請求項６】
前記課金データ生成部は、前記パケット分析プロセスによって分析されたパケットデータのコンテンツによる課金情報に、前記加入者識別プロセスによって分析された加入者情報を含ませて統合課金データを生成することを特徴とする請求項３記載の移動通信システムのコンテンツ別課金データ生成装置。
【請求項７】
加入者のモバイル端末機にデータサービスを提供する際、パケットデータサービスノードからの課金データレコードを分析し、前記加入者情報を獲得する加入者識別プロセスを行う段階と、
前記加入者のモバイル端末機にサービスされるパケットデータに対してパケット分析プロセスを行う段階と、
前記パケット分析プロセスの結果に前記加入者情報を含ませて課金データを実時間で生成する段階とを含むことを特徴とする移動通信システムのコンテンツ別課金データ生成方法。
【請求項８】
前記加入者識別プロセスを行う段階は、データサービスの際に前記パケットデータサービスノードで発生する課金開始、中間精算及び課金終了によるデータレコードを分析して加入者の移動局識別番号（ＭＩＮ）、前記モバイル端末機のＩＰアドレス、使用時間及び活性化情報を抽出することを特徴とする請求項７記載の移動通信システムのコンテンツ別課金データ生成方法。
【請求項９】
前記パケット分析プロセスを行う段階は、データサービスの際に前記パケットデータサービスノードを介して前記モバイル端末機に提供されるパケットデータを分析し、コンテンツの種類と使用量の情報を分析することを特徴とする請求項７記載の移動通信システムのコンテンツ別課金データ生成方法。
【発明の詳細な説明】
【０００１】
【発明の属する技術分野】
本発明は、加入者の使用するコンテンツに応じて実時間で課金ができるようにする移動通信システムのコンテンツ別課金データ生成装置及び方法に関する。
【０００２】
【従来の技術】
従来の課金システムは、無線通信端末機が移動通信網に接続して加入者認証が完了すると、課金開始を知らせる課金開始データレコード（ｓｔａｒｔ　ＵＤＲ）が発生してセッションが開始される。前記課金開始データレコードの生成後、所定の時間が経過すると、中間精算データレコード（ｉｎｔｅｒｉｍ　ＵＤＲ）を生成し、セッションが終了すると、課金終了データレコード（ｓｔｏｐ　ＵＤＲ）を生成し、これにより課金を行った。
【０００３】
しかし、前述した方法によって課金を行う従来の課金システムは、予め登録されていないプロトコルの無線データサービスに対してはパケットデータの使用量に関する情報は分るが、加入者の区別は不可能であった。
【０００４】
これにより、従来では、登録されていないプロトコルの無線データサービスに対してはパケットデータの使用量に関する情報と課金データ（ＵＤＲ）を別途のシステムで収集し、相互連関性によって加入者を区別して課金データを生成することにより課金を行ったため、実時間課金が不可能であり、加入者の利用するコンテンツによる課金が難しいという欠点があった。
【０００５】
【発明が解決しようとする課題】
本発明は、かかる従来の課金方式の問題点を解決するためのもので、その目的は、加入者の使用するコンテンツに応じて実時間課金ができるようにする移動通信システムのコンテンツ別課金データ生成装置及び方法を提供することにある。
【０００６】
【課題を解決するための手段】
上記目的は、コンテンツを提供するコンテンツサーバ及びインターネットが接続されたデータコアネットワークに接続され、加入者のモバイル端末機にデータサービスを提供するパケットデータサービスノードと、課金サーバとを含む移動通信システムにおいて、前記パケットデータサービスノードから提供する課金データレコード及び前記パケットデータサービスノードでサービスするパケットデータを分析し、これにより実時間で課金データを生成して前記課金サーバに伝送するパケットデータ分析装置を含んでなる移動通信システムのコンテンツ別課金データ生成装置により達成される。
【０００７】
本発明に係る移動通信システムのコンテンツ別課金データ生成方法は、加入者のモバイル端末機にデータサービスを提供する際、パケットデータサービスノードからの課金データレコードを分析し、前記加入者情報を獲得する加入者識別プロセスを行う段階と、前記加入者のモバイル端末機にサービスされるパケットデータに対してパケット分析プロセスを行う段階と、前記パケット分析プロセスの結果に前記加入者情報を含ませて課金データを実時間で生成する段階とを含む。
【０００８】
【発明の実施の形態】
本発明の前記目的と技術的構成及びそれによる作用効果に関する詳細は、本発明の明細書に添付された図面に基づいた以下の詳細な説明によってさらに明確に理解されるであろう。
【０００９】
図１は本発明に係るパケットデータ分析装置が接続される移動通信システムの論理的構成を説明するためのブロック図である。
【００１０】
図１を参照すると、本発明に係る移動通信システムは、モバイル端末機１０との相互交信を行う基地局としてのＢＴＳ（Ｂａｓｅ　Ｔｒａｎｓｃｅｉｖｅｒ　Ｓｔａｔｉｏｎ）１１０と、前記ＢＴＳ１１０を運用及び維持保守する基地局制御機としてのＢＳＣ（Ｂａｓｅ　Ｓｔａｔｉｏｎ　Ｃｏｎｔｒｏｌｌｅｒ）１２０とを含む。
【００１１】
前記ＢＳＣ１２０は、ネットワークにおいて交換機能を行うシステムであって、ネットワーク内の移動電話加入者を他のネットワークに連結する機能を行うとともに、各種付加システムに連結されて付加サービスを提供する移動通信交換局としてのＭＳＣ（Ｍｏｂｉｌｅ　Ｓｗｉｔｃｈｉｎｇ　Ｃｅｎｔｅｒ）２１０と、パケットデータをサービスするためのＰＤＳＮ（Ｐａｃｋｅｔ　Ｄａｔａ　Ｓｅｒｖｉｃｅ　Ｎｏｄｅ）、すなわちパケットデータサービスノード３１０が接続される。
【００１２】
前記ＢＳＣ１２０は、ＢＴＳ１１０とＭＳＣ２１０との間で音声呼と回線データ呼を連結し、ＢＴＳ１１０と前記パケットデータサービスノード３１０との間でパケットデータ呼を連結し、音声呼に対してはボコーディング機能を行う。
【００１３】
前記パケットデータサービスノード３１０は、ミラーリングスイッチ（Ｍｉｒｒｏｒｉｎｇ　Ｓｗｉｔｃｈ）３２０を介してデータコアネットワーク（Ｄａｔａ　Ｃｏｒｅ　Ｎｅｔｗｏｒｋ：ＤＣＮ）４１０に接続される。前記データコアネットワーク４１０には、使用者にコンテンツを提供するためのコンテンツサーバ４２０とインターネット４３０網が接続される。この際、前記ミラーリングスイッチ３２０は、パケットデータサービスノード３１０とデータコアネットワーク４１０間のパケットデータの中継を行い、そのパケットデータを複製して後述のパケットデータ分析装置（ＩＵＸ）３３０に伝送する役割を果たす。
【００１４】
本発明の課金データ生成装置は、前記ミラーリングスイッチ３２０で複製されたパケットデータを分析し、課金データ（ＵＤＲ）を生成するパケットデータ分析装置３３０と、前記パケットデータ分析装置３３０で生成された課金データを収集、格納及び加工する課金データ処理部（ＩＰＭＳ）３４０と、前記課金データ処理部３４０の出力情報に基づいて統合課金を行う統合課金サーバ（Ｂｉｌｌｉｎｇ　Ｄａｔａ　Ｓｅｒｖｅｒ；ＢＤＳ）３５０とを含んでなる。
【００１５】
前記パケットデータサービスノード３１０は、データサービスに対してセッションの開始を知らせる課金開始データレコード（ｓｔａｒｔ　ＵＤＲ）、セッションの中間精算データレコード（ｉｎｔｅｒｉｍ　ＵＤＲ）及びセッションの終了を知らせる課金終了データレコード（ｓｔｏｐ　ＵＤＲ）を生成し、モバイル端末機１０にパケットデータをサービスする。
【００１６】
図２は本発明に係るパケットデータ分析装置３３０の構成を説明するためのブロック図である。
【００１７】
図２に示すように、本発明に係るパケットデータ分析装置３３０は、パケットデータを複製する前記ミラーリングスイッチ３２０に接続するためのインタフェース３３１と、前記インタフェース部３３１を介して受信されたパケットデータを分析するパケット分析部３３２と、前記パケット分析部３３２で分析された情報を格納する格納部３３３と、前記パケット分析部３３２の分析結果に基づいて統合課金データを生成する課金データ生成部３３４と、前記課金データ生成部３３４で生成された統合課金データを課金データ処理部３４０に伝送する伝送部３３５とを含んでなる。
【００１８】
このような構成の本発明に係るパケットデータ分析装置３３０は、パケットデータサービスノード３１０で生成された課金開始データレコード、中間精算データレコード及び課金終了データレコードから加入者のＭＩＮ（Ｍｏｂｉｌｅ　Ｉｄｅｎｔｉｆｉｃａｔｉｏｎ　Ｎｕｍｂｅｒ）管理のための加入者識別プロセスを行い、ミラーリングスイッチ３２０で複製されて伝送されるパケットデータを分析してコンテンツの種類を判別するパケット分析プロセスを行う。前記の動作は図３に示す。
【００１９】
図３は本発明に係るパケットデータ分析装置３３０の遂行プロセスを説明するための説明図である。
【００２０】
図３に示すように、本発明に係るパケットデータ分析装置３３０は加入者を識別する加入者識別プロセスを行うが、このために、前記インタフェース部３３１はパケットデータサービスノード３１０から課金開始データレコード、中間精算データレコード及び課金終了データレコードを受信する（Ｓ１０）。そして、パケット分析部３３２は前記受信した課金開始データレコード、中間精算データレコード及び課金終了データレコードを分析する（Ｓ２０）。
【００２１】
この際、前記段階Ｓ２０で、パケット分析部３３２は前記加入者の移動局識別番号としてのＭＩＮ（Ｍｏｂｉｌｅ　Ｉｄｅｎｔｉｆｉｃａｔｉｏｎ　Ｎｕｍｂｅｒ）、ＩＰアドレス、使用時間及び活性化情報などを抽出してその情報を格納部３３３に格納する（Ｓ３０）。
【００２２】
一方、パケットデータ分析装置３３０はパケット分析プロセスを行うが、このために、インタフェース部３３１はミラーリングスイッチ３２０で複製されて伝送されるパケットデータを受信し（Ｓ４０）、パケット分析部３３２は前記受信されたパケットデータを分析する（Ｓ５０）。そして、パケット分析部３３２は段階Ｓ５０で分析された情報に基づいてパケットデータ、すなわちコンテンツの種類及び使用量を分析する（Ｓ６０）。
【００２３】
次いで、課金データ生成部３３４は、前記格納部３３３に格納されたＭＩＮ、ＩＰアドレス、使用時間及び活性化情報などの情報、段階Ｓ６０で判断したコンテンツの種類及び使用量に基づいて課金データを生成する（Ｓ７０）。
【００２４】
前記段階Ｓ７０において、課金データ生成部３３４は、パケットデータの種類及び使用量、すなわちコンテンツ別に設定された情報に、前記格納部３３３に格納されたＭＩＮ、使用時間及びＩＰアドレスなどの情報を含ませて課金データを生成し、生成された前記課金データを伝送部３３５を介して、収集、格納及び加工する課金データ処理部３４０に伝送する。
【００２５】
これにより、プロトコル別に予め開発されたか或いは開発されていないプロトコル、登録又は未登録されたプロトコルに対する加入者トラフィックに対し加入者のＭＩＮ情報を区分して課金データを生成することができる。
【００２６】
次に、前述した構成及び動作を行う本発明に係るパケットデータ分析装置を備える移動通信網の動作について説明する。
【００２７】
まず、使用者がモバイル端末機１０を介して接続すると、モバイル端末機１０はＭＳＣ２１０と連動して資源の割当を受け、これによりパケットデータサービスノード３１０と接続してデータ連結を設定する。
【００２８】
前記パケットデータサービスノード３１０は、モバイル端末機１０の認証が成功すると、現在データサービスに対するセッションの開始を知らせる課金開始データレコードをミラーリングスイッチ３２０に伝送し、モバイル端末機１０と、データコアネットワーク４１０に接続されているコンテンツサーバ４２０又はインターネット４３０との間でパケットデータを中継する。
【００２９】
一方、前記ミラーリングスイッチ３２０は、パケットデータサービスノード３１０で生成されたセッションの開始を知らせる課金開始データレコードを複製してパケットデータ分析装置３３０に伝送する。
【００３０】
前記パケットデータ分析装置３３０のインタフェース部３３１は課金開始データレコードを受信してパケット分析部３３２に伝送し、パケット分析部３３２は課金開始データレコードを分析して、ＭＩＮ、ＩＰアドレス、使用時間及び活性化情報などを含んだ情報を格納部３３３に格納する。
【００３１】
また、パケット分析部３３２は該当情報を課金データ生成部３３４に伝送し、課金データ生成部３３４は伝送部３３５を介して前記課金開始データレコードを課金データ処理部３４０に伝送してセッションの開始を通報することにより課金の開始を知らせる。
【００３２】
前記パケットデータサービスノード３１０では、課金開始データレコードの生成後、所定の時間が経過すると中間精算データレコードを生成し、セッションが終了すると課金終了データレコードを生成する。生成された前記中間精算データレコード及び課金終了データレコードはミラーリングスイッチ３２０を介してパケットデータ分析装置３３０に伝送される。
【００３３】
前記パケットデータ分析装置３３０では、前述した課金開始データレコードの処理過程と同様に、中間精算データレコード及び課金終了データレコードを分析し、加入者情報と使用時間などに関する情報を格納部３３３に格納する。前述したように、パケットデータ分析装置３３０は、加入者のＭＩＮ管理のための加入者識別プロセスを行う。
【００３４】
また、パケットデータ分析装置３３０はパケットデータを分析するプロセスを行うが、その動作は次の通りである。
【００３５】
パケットデータサービスノード３１０に接続されたミラーリングスイッチ３２０は、パケットデータサービスノード３１０とデータコアネットワーク４１０との間で送受信されるパケットデータを複製してパケットデータ分析装置３３０に伝送する。
【００３６】
前記パケットデータ分析装置３３０のインタフェース部３３１は、ミラーリングスイッチ３２０から伝送される、複製されたパケットデータを受信する。そして、パケット分析部３３２は、現在サービスされているコンテンツの種類を判別するために、インタフェース部３３１に受信されたパケットデータを予め設定された情報に基づいて分析する。パケット分析部３３２は、分析結果による情報と格納部３３３に格納されたユーザ情報（ＭＩＮ、ＩＰアドレス、使用時間など）を課金データ生成部３３４に伝送する。
【００３７】
課金データ生成部３３４は、前記分析結果、すなわち現在データサービスされているコンテンツの種類に応じて統合課金データを生成し、伝送部３３５を介して課金データ処理部３４０に伝送する。課金データ処理部３４０は、受信された統合課金データを格納し、所望の形態に加工した後、統合課金サーバ３５０に伝送する。
【００３８】
前記統合課金サーバ３５０は、課金データ処理部３４０から伝送される情報に応じて、加入者に対する課金を行う。
【００３９】
【発明の効果】
以上説明したように、本発明に係る移動通信システムのコンテンツ別課金データ生成装置及び方法によれば、コンテンツの形態によるプロトコルの開発及び登録の有無に関係なく、加入者トラフィックに対して加入者のＭＩＮ情報を区分することにより、加入者の使用するコンテンツに応じて実時間課金が可能であるうえ、Ａｌｗａｙｓ−ｏｎ形態のネットワークにおいても課金が可能であるという効果がある。
【図面の簡単な説明】
【図１】本発明に係るパケットデータ分析装置が接続される移動通信網の論理的構成を説明するためのブロック図である。
【図２】本発明に係るパケットデータ分析装置の構成を説明するためのブロック図である。
【図３】本発明に係るパケットデータ分析装置の遂行プロセスを説明するための流れ図である。
【符号の説明】
１０　モバイル端末機
１１０　基地局（ＢＴＳ）
１２０　基地局制御機（ＢＳＣ）
３１０　パケットデータサービスノード（ＰＤＳＮ）
３２０　ミラーリングスイッチ
３３０　パケットデータ分析装置
３４０　課金データ処理部
３５０　統合課金サーバ
【図１】
2004147284.tif 000003
【図２】
2004147284.tif 000004
【図３】
2004147284.tif 000005